(57)【特許請求の範囲】
【請求項１】
導光板と、該導光板の周辺部を取囲む枠状のハウジングフレームと、前記導光板の裏面の側に配置される反射シートとを含み、
該反射シートは、前記ハウジングフレームに対し、前記導光板の裏面の側から両面テープを介して固定され、
該両面テープの厚みＴＢＳＴが、補正係数をｋ、導光板の対角長さをＬ、導光板の厚みをｔ、導光板の曲率半径をｒとして、ＴＢＳＴ≧ｋ・Ｌ・ｔ／２ｒ、ｋ＝０．４５、の関係を満たすように形成されていることを特徴とするフレキシブル面状照明装置。
【請求項２】
導光板と、該導光板の周辺部を取囲む枠状のハウジングフレームと、前記導光板の裏面の側に配置される反射シートとを含み、
該反射シートは、前記ハウジングフレームに対し、前記導光板の裏面の側から両面テープを介して固定され、
該両面テープの少なくとも一部を収容する凹部が、前記ハウジングフレームの、外周に沿って形成され、
前記両面テープの厚みＴＢＳＴが、補正係数をｋ、導光板の対角長さをＬ、導光板の厚みをｔ、導光板の曲率半径をｒとして、ＴＢＳＴ≧ｋ・Ｌ・ｔ／２ｒ、の関係を満たすように形成されていることを特徴とするフレキシブル面状照明装置。
【請求項３】
ｋ＝０．４５であることを特徴とする請求項２記載のフレキシブル面状照明装置。
【請求項４】
前記導光板が２インチ以上のサイズであることを特徴とする請求項１から３のいずれか１項記載のフレキシブル面状照明装置。
【請求項５】
前記導光板の側端面に光源が配置されていることを特徴とする請求項１から４のいずれか１項記載のフレキシブル面状照明装置。
【発明の詳細な説明】
【技術分野】
【０００１】
本発明は、液晶表示装置等の照明手段として用いられる面状照明装置に関し、特に可撓性を有するフレキシブル面状照明装置に関するものである。
【背景技術】
【０００２】
近年、パーソナルコンピュータや携帯電話等の電子装置の表示デバイスとして液晶表示装置が広く使用されている。液晶は、ブラウン管等とは異なり自発光型の表示素子ではないため、たとえば透過型の液晶表示装置では、その液晶パネルに対して光を照射する照明手段が必須であり、外光を利用する半透過型の液晶表示装置でも、暗所での使用を可能にするために補助的な照明手段を備えている。導光板と導光板の側方に配置された光源とを主要な構成要素とするサイドライト型の面状照明装置は、薄型化が容易であるという利点を有するため、このような液晶表示装置の照明手段として好適に使用されるものである。
そして、面状照明装置の小型・薄型化及び低消費電力化を図るため、近年の高性能化が著しい白色発光ダイオード（ＬＥＤ）を光源とする面状照明装置が、広く用いられている。
【０００３】
又、従来のガラス基板をベースとした液晶表示装置に加え、多義の電子表示装置への適用を可能とすべく、可撓性（屈曲性）を有する液晶表示装置に用いられる、フレキシブル面状照明装置が開発されている。このフレキシブル面状照明装置は、導光板やその他の光学シートが可撓性を有するものからなり、一例として、図４に示されるような構成を有している。
【０００４】
図４のフレキシブル面状照明装置１０は、平面視で矩形のシート状の導光板１２と、導光板１２の表面（光の出射面）側に配置された、平面視で矩形の光学シート１４と、導光板１２の裏面側に配置された、平面視で矩形の反射シート１６とが積層されており、これら導光板１２、光学シート１４、反射シート１６は、何れも可撓性を有する材料により構成されている。又、導光板１２の長辺側の側端面のうち少なくとも一面に沿って複数の白色ＬＥＤ１８及びフレキシブルプリント基板２０からなる光源ユニット２２が配置されている。そして、導光板１２の短辺側の両側端部で、導光板１２、光学シート１４、反射シート１６が、直線状チャネル型フレーム２４によって、一体に保持されている（例えば、特許文献１参照。）。
【０００５】
又、図５に示されるフレキシブル面状照明装置１１は、シート状の導光板１２と、導光板１２の表面側に配置された光学シート１４の周辺部を取囲むように構成された、可撓性を有する縁状のハウジングフレーム２６が用いられたものである。そして、導光板１２の裏面の側から、ハウジングフレーム２６の側面に沿って、両面テープ２８を介して反射シート１６を固定したものである。図５の例では、導光板１２の表面側に配置される光学シート１４として、プリズムシート１４ｐと、拡散シート１４ｄとが積層されている。又、導光板１２の表面の側から、ハウジングフレーム２６の側面に沿って、拡散シート１４ｄの周辺部を覆うように、遮光シート３０が固定されている。
【０００６】
なお、ハウジングフレーム２６の破線で示される部分は、必要に応じて設けられる上部枠である。又、図５では、フレキシブル面状照明装置１１の一方向の断面のみ図示しているが、図４の例と同様に、導光板１２の少なくとも一側端面に沿って、複数の白色ＬＥＤ１８及びフレキシブルプリント基板２０からなる光源ユニット２２が配置されたものである。具体的には、光源ユニット２２は、ハウジングフレーム２６の内側に配置されている。
又、図５では、導光板１２及び光学シート１４の側端面に対し、ハウジングフレーム２６が離間し、かつ、導光板１２の裏面に対し反射シート１６が離間したように図示されている。しかしながら、各部の位置決め精度や光学特性等を考慮した上で、必要に応じこれらを密着させても良く、図示の如く離間して配置しても良い。
【先行技術文献】
【特許文献】
【０００７】
【特許文献１】特開２００８−１４０６９８号公報（段落〔００１６〕）
【発明の概要】
【発明が解決しようとする課題】
【０００８】
ところで、図５に示されたように、縁状のハウジングフレーム２６が用いられ、その側面に沿って、両面テープ２８を介して反射シート１６を固定した構造を採用すると、フレキシブル面状照明装置１１を湾曲させた際に、反射シート１６がハウジングフレーム２６の変形による寸法変化に追従しきれず、両面テープ２８の粘着力を超える負荷が両面テープ２８の接着層に加わり、反射シート１６がハウジングフレーム２６から部分的に剥離する場合がある。すると、導光板１２に対して、反射シート１６を安定して配置することが困難となり、フレキシブル面状照明装置１１の輝度の低下が懸念されることとなる。
【０００９】
本発明は、上記のような問題に鑑みなされたものであって、その目的とするところは、湾曲状態においても、導光板の裏面の側に配置される反射シートを安定保持して、フレキシブル面状照明装置の輝度の低下を防ぐことにある。
【課題を解決するための手段】
【００１０】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【００１１】
（１）導光板と、該導光板の周辺部を取囲む枠状のハウジングフレームと、前記導光板の裏面の側に配置される反射シートとを含み、該反射シートは、前記ハウジングフレームに対し、前記導光板の裏面の側から両面テープを介して固定され、該両面テープの厚みＴＢＳＴが、補正係数をｋ、導光板の対角長さをＬ、導光板の厚みをｔ、導光板の曲率半径をｒとして、ＴＢＳＴ≧ｋ・Ｌ・ｔ／２ｒ、の関係を満たすように形成されているフレキシブル面状照明装置。
【００１２】
本項に記載のフレキシブル面状照明装置は、ハウジングフレームに反射シートを固定するための、両面テープの厚みＴＢＳＴが、ＴＢＳＴ≧ｋ・Ｌ・ｔ／２ｒの関係を満たすように形成されることで、ハウジングフレームの変形による寸法変化を吸収するための緩衝材として機能を、両面テープに付与するものである。すなわち、反射テープの剥離を防ぐために必要な両面テープの最小限の厚みＴＢＳＴは、ハウジングフレームの面方向（面と平行な方向）の形状変化を実質的に支配する、導光板の長さ（対角長さ）の変化量に比例することに着目したものである。又、補正係数ｋを乗ずることで、任意の条件に適切に対応した両面テープの厚みＴＢＳＴを定めるものである。なお、この補正係数ｋは、適切な両面テープの厚みを導出するための係数であり、本発明者らの鋭意研究の結果、実験的に導かれたものである。
【００１３】
（２）上記（１）項において、ｋ＝０．４５であるフレキシブル面状照明装置（請求項１）。
本項に記載のフレキシブル面状照明装置は、上記関係式ＴＢＳＴ≧ｋ・Ｌ・ｔ／２ｒの補正係数ｋを０．４５とすることにより、両面テープに、ハウジングフレームの変形による寸法変化を吸収するための緩衝材として機能を付与するものである。
【００１４】
（３）上記（１）項において、前記両面テープの少なくとも一部を収容する凹部が、前記ハウジングフレームの、外周に沿って形成されているフレキシブル面状照明装置（請求項２）。
本項に記載のフレキシブル面状照明装置は、ハウジングフレームの変形による寸法変化を吸収するための緩衝材として機能を、両面テープに付与するために、両面テープの厚みＴＢＳＴが上記関係式を満たすように形成される結果、ハウジングフレームに連なって導光板の周辺部を枠状に取囲む両面テープの面積が相応に拡大する。両面テープは、導光板の側端面から漏れ出す光を吸収又は透過してしまうことから、両面テープの厚みＴＢＳＴの如何によっては、光の損失を招く一因となる。そこで、ハウジングフレームの、外周に沿って形成されている凹部に、厚みＴＢＳＴの両面テープの一部又は全部が収容されることで、ハウジングフレーム（の内周側）と反射シートとの距離を近づけ、又は、ハウジングフレームと反射シートとを密着させるものとなる。ハウジングフレームは、光反射部材として機能することから、ハウジングフレームと導光板とが近づく程、導光板の側端面から漏れ出す光のうち、ハウジングフレームに反射されて導光板に再入射する光の割合が増加し、両面テープにより吸収又は透過される光の割合が減少するので、輝度向上に寄与するものとなる。しかも、両面テープの厚みＴＢＳＴは維持されることから、両面テープの厚みに起因する、ハウジングフレームの変形による寸法変化を吸収するための緩衝材としての機能も、維持されるものである。
（４）上記（３）項において、ｋ＝０．４５であるフレキシブル面状照明装置（請求項３）。
本項に記載のフレキシブル面状照明装置は、上記関係式ＴＢＳＴ≧ｋ・Ｌ・ｔ／２ｒの補正係数ｋを０．４５とすることにより、両面テープに、ハウジングフレームの変形による寸法変化を吸収するための緩衝材として機能を付与するものである。
【００１５】
（５）上記（２）から（４）項において、前記導光板が２インチ以上のサイズであるフレキシブル面状照明装置（請求項４）。
本項に記載のフレキシブル面状照明装置は、導光板が２インチ（平面視で矩形の導光板の対角長さが２インチ）以上のサイズであることにより、そのサイズに応じて必要とされる両面テープの厚みが、上記関係式ＴＢＳＴ≧ｋ・Ｌ・ｔ／２ｒの適用条件に合致したものとなる。
（６）上記（５）項において、前記導光板が３インチ以上のサイズであるフレキシブル面状照明装置。
本項に記載のフレキシブル面状照明装置は、導光板が３インチ以上のサイズであることにより、そのサイズに応じて必要とされる両面テープの厚みが、上記関係式ＴＢＳＴ≧ｋ・Ｌ・ｔ／２ｒの適用条件に、より合致したものとなる。
【００１６】
（７）上記（１）から（６）項において、前記導光板の側端面に光源が配置されているフレキシブル面状照明装置（請求項５）。
本項に記載のフレキシブル面状照明装置は、導光板の側端面に配置されている光源から、導光板に入射した光が、導光板の内部を伝搬する過程で、導光板の裏面側に形成された、光路を偏向するための手段により導光板の表面側へと光路偏向され、導光板の表面側から出射されることで、導光板の全体が発光するものである。そして、導光板の裏面側から外部に漏れ出した光が、導光板の裏面側に配置された反射シートにより反射されて導光板内に戻され、輝度の低下が抑制されるものである。
【発明の効果】
【００１７】
本発明はこのように構成したので、湾曲状態においても、導光板の裏面の側に配置される反射シートを安定保持して、フレキシブル面状照明装置の輝度の低下を防ぐことが可能となる。
【図面の簡単な説明】
【００１８】
【図１】本発明の第１の実施の形態に係るフレキシブル面状照明装置を、模式的に示した断面図である。
【図２】本発明の第２の実施の形態に係るフレキシブル面状照明装置を、模式的に示した断面図である。
【図３】湾曲させた状態にある導光板の側面図であり、（ａ）は表面側が凸状となるように湾曲した状態を、図３（ｂ）は裏面側が凸状となるように湾曲した状態を示している。
【図４】従来のフレキシブル面状照明装置を模式的に示した斜視図である。
【図５】図４の例とは別構造を有する従来のフレキシブル面状照明装置を、模式的に示した断面図である。
【発明を実施するための形態】
【００１９】
以下、本発明の実施の形態を図面に基づき説明する。ここで、従来技術と同一部分、若しくは相当する部分については同一符号で示し、詳しい説明を省略する。
図１に示されるように、本発明の実施の形態に係るフレキシブル面状照明装置３２は、導光板１２と、導光板１２の裏面の側に配置される反射シート１６と、導光板１２及び反射シート１６を保持するハウジングフレーム２６とを含むものである。
【００２０】
ここで、図１に示される、本発明の第１の実施の形態に係るフレキシブル面状照明装置３２は、導光板１２の周辺部を取囲む枠状のハウジングフレーム２６と、導光板１２の裏面の側に配置される反射シート１６とが、導光板１２の裏面の側から両面テープ３４を介して固定されている。そして、両面テープ３４の厚みＴＢＳＴが、補正係数をｋ、導光板の対角長さをＬ、導光板の厚みをｔ、導光板の曲率半径をｒとして、ＴＢＳＴ≧ｋ・Ｌ・ｔ／２ｒ、の関係を満たすように形成されているものである。
【００２１】
ここで、両面テープ３４は、例えば、ポリエステル基材の両面に、アクリル系接着剤の層を形成し、アクリル系接着剤の層により伸縮性を確保した構造を有している。又、ポリエステル基材に換えて、ポリオレフィン発泡体からなる基材を用い、基材自体にも伸縮性を持たせるものを用いることとしても良い。又、補正係数ｋについては、後述する理由からｋ＝０．４５であることが望ましい。
一方、ハウジングフレーム２６は、例えばポリカーボネート（白色ポリカーボネート）により構成されている。又、導光板１２の材料としては、例えばポリジメチルシロキサン（ＰＤＭＳ）、ポリアルキルアルケニルシロキサン、ポリアルキルフェニルシロキサン等のシリコーンゴム樹脂材料が挙げられる。なお、導光板の成形に一般的に使用されているポリカーボネートやアクリルなども、板厚を薄くすることにより可撓性が生じるので、本発明の導光板に適用することができる。プリズムシート１４ｐ、拡散シート１４ｄ及び反射シート１６についても、必要な柔軟性を有する可撓性材料により構成されるものである。
【００２２】
なお、図１では、フレキシブル面状照明装置３２の一方向の断面のみ図示しているが、従来技術と同様に、導光板１２の少なくとも一側端面に沿って、複数の白色ＬＥＤ１８及びフレキシブルプリント基板２０からなる光源ユニット２２（図４参照）が配置されている。又、光源ユニット２２は、ハウジングフレーム２６の内側に配置されるものである。
【００２３】
さて、図１に示される、本発明の第１の実施の形態に係るフレキシブル面状照明装置３２によれば、次のような作用効果を得ることが可能である。すなわち、ハウジングフレーム２６に反射シート１６を固定するための、両面テープ３４の厚みＴＢＳＴが、ＴＢＳＴ≧ｋ・Ｌ・ｔ／２ｒの関係を満たすように形成されることで、ハウジングフレーム２６の変形による寸法変化を吸収するための緩衝材としての機能を、両面テープ３４に十分に付与することが可能となる。
しかも、反射テープ３４の剥離を防ぐために必要な両面テープ３４の最小限の厚みＴＢＳＴを求めるためのパラメータとしてのＬは、ハウジングフレーム２６の面方向（面と平行な方向）の形状変化を実質的に支配する、導光板１２の長さ（対角長さ）の変化量に比例することに着目したものである。
【００２４】
図３には、湾曲させた状態にある導光板１２の側面図を示している。図３（ａ）は表面側が凸状となるように湾曲した状態を、図３（ｂ）は裏面側が凸状となるように湾曲した状態を示している。図３中の符号１２ａは、導光板１２の表面に、光学的要請に応じ適宜形成されるドットであり、ここでは詳しい説明を省略する。図３（ａ）の例では、導光板の対角長さＬ、厚みｔでかつ曲率半径ｒであるとき、表面の長さＬ’は、Ｌ’＝Ｌ（１＋ｔ／２ｒ）となる。よって、表面の長さの変化量ΔＬは、ΔＬ＝Ｌ’−Ｌ＝ｔ／２ｒとなる。同様に、図３（ｂ）の例では、表面の長さＬ’＝Ｌ（１−ｔ／２ｒ）となる。よって、表面の長さの変化量ΔＬは、ΔＬ＝Ｌ’−Ｌ＝−ｔ／２ｒとなる。
すなわち、平面視で矩形の導光板１２は、対角長さＬがその他の部分の寸法との比較において最も長く、ハウジングフレームの面方向の形状変化の影響が最も大きく出現することから、対角長さＬを両面テープ３４の厚みＴＢＳＴを導出するためのパラメータとして採用することで、両面テープ３４の緩衝材としての機能担保を、確実にするものとなる。又、対角線の表面長さの変化量ΔＬ＝ｔ／２ｒについても同様の理由により、上記関係式のパラメータとして採用されたものである。
【００２５】
加えて、本発明の第１の実施の形態では、補正係数ｋを乗ずることで、任意の条件に適切に対応した両面テープ３４の厚みＴＢＳＴを定めるものである。この補正係数ｋは、適切な両面テープ３４の厚みを導出するための係数であり、実験的に導かれたものである。
本発明者らは、両面テープ３４の厚みが、以下の（Ａ）〜（Ｄ）の例のごとく異なるものについて、ハウジングフレーム２６からの反射シート１６の剥離が生じるか否かを実験した。以下の表示は、各々、（ポリエステル基材）／（アクリル系接着剤×２（表裏面））＝（全厚）を示している。具体的には、導光板の対角長さＬ＝５５．８８ｍｍ（２．２インチ）、導光板の厚みｔ＝０．４ｍｍ、導光板の曲率半径ｒ＝１００ｍｍ（使用上で想定される値）として、
（Ａ）４μｍ／１３μｍ×２＝３０μｍ、
（Ｂ）１２μｍ／１９μｍ×２＝５０μｍ、
（Ｃ）２５μｍ／３８μｍ×２＝１０１μｍ、
（Ｄ）１００μｍ／５０μｍ×２＝２００μｍ、
の各厚みを有する両面テープを用いて実験を行った。
【００２６】
その結果、（Ｂ）〜（Ｄ）の両面テープにおいて、剥離は生じなかった。又、（Ｄ）のポリエステル基材に代えて、ポリオレフィン発泡体からなる基材を用いた両面テープでも、同様に剥離は生じなかった。
上記の結果に基づき、剥離の問題を生じないための、両面テープ３４の最少厚み（全厚）ＴＢＳＴを上記（Ｂ）の５０μｍと仮定して、関係式ＴＢＳＴ≧ｋ・Ｌ・ｔ／２ｒに上記各値を当てはめると、ｋ＝ＴＢＳＴ・２ｒ／Ｌ／ｔ＝０．４５となる。従って、補正係数ｋ＝０．４５とすることにより、ハウジングフレーム２６の変形による寸法変化を吸収するための緩衝材として機能を、両面テープ３４に、確実に付与することが可能となることを突き止めたものである。なお、上記実験条件は、フレキシブル面状照明装置３２に通常想定し得る使用条件を考慮したものであり、特異な使用条件においては、補正係数ｋの値にそれを考慮することが望ましい。
【００２７】
又、好ましくは、導光板１２が２インチ以上のサイズであることにより、そのサイズに応じて必要とされる両面テープの厚みが増大し、選択すべき両面テープ３４の厚みが、関係式ＴＢＳＴ≧ｋ・Ｌ・ｔ／２ｒの適用条件に合致したものとなる。更には、好ましくは、導光板が３インチ以上のサイズであることにより、そのサイズに応じて必要とされる両面テープの厚みが更に増大し、関係式ＴＢＳＴ≧ｋ・Ｌ・ｔ／２ｒの適用条件に、より合致したものとなる。
【００２８】
そして、フレキシブル面状照明装置３２は、導光板１２の側端面に配置されている光源ユニット２２（図４参照）から、導光板１２に入射した光が、導光板１２の内部を伝搬する過程で、導光板１２の裏面側に形成された、光路を偏向するための手段（例えば、ドーム状のドットパターン、図３（ａ）（ｂ）の符号１２参照）により導光板１２の表面側へと光路偏向され、導光板１２の表面側から出射されることで、導光板１２の全体が発光するものである。そして、導光板１２の裏面側から外部に漏れ出した光が、導光板１２の裏面側に配置された反射シート１６により反射されて導光板１２内に戻され、輝度の低下が抑制されるものである。
なお、図１のフレキシブル面状照明装置３２においては、導光板１２、光学シート１４に対し、ハウジングフレーム２６が離間し、導光板１２の裏面に対し反射シート１６が離間したように図示されているが、各部の位置決め精度や光学特性を考慮した上で、必要に応じこれらを密着させても良く、図示の如く離間して配置しても良い。
【００２９】
続いて、図２を参照しながら、本発明の第２の実施の形態に係るフレキシブル面状照明装置の説明を行う。ここで、従来技術と同一部分、若しくは相当する部分については同一符号で示し、詳しい説明を省略する。
【００３０】
図２に示される、本発明の第２の実施の形態に係るフレキシブル面状照明装置３６は、第１の実施の形態に係る、ハウジングフレーム２６の外周に沿って、両面テープ３４の少なくとも一部を収容する凹部２６ａが形成されているものである。  その他の構成部分は、第１の実施の形態に係るフレキシブル面状照明装置３２と同様である。
なお、図２に示されるフレキシブル面状照明装置３６は、ハウジングフレーム２６の、外周に沿って形成されている凹部２６ａに、厚みＴＢＳＴの両面テープ３４の全部が収容されることで、ハウジングフレーム２６と反射シート１６とを密着させるものとなる。
【００３１】
さて、本発明の第１の実施の形態に係るフレキシブル面状照明装置３２では、ハウジングフレーム２６の変形による寸法変化を吸収するための緩衝材として機能を、両面テープ３４に付与するために、両面テープ３４の厚みＴＢＳＴが上記関係式を満たすように形成される結果、ハウジングフレーム２６に連なって導光板１２の周辺部を枠状に取囲む両面テープ３４の面積が相応に拡大する。両面テープ３４は、導光板１２の側端面から漏れ出す光を吸収又は透過してしまうことから、両面テープ３４の厚みＴＢＳＴ  の如何によっては、光の損失を招く一因となる。そこで、本発明の第２の実施の形態に係るフレキシブル面状照明装置３６のごとく構成すると、ハウジングフレーム２６の、外周に沿って形成されている凹部２６ａに、厚みＴＢＳＴの両面テープ３４の一部又は全部が収容されることで、ハウジングフレーム２６（の内周側）と反射シート１６との距離を近づけ、又は、ハウジングフレーム２６と反射シート１６とを密着させることができる。
【００３２】
そして、ハウジングフレーム２６が、光反射部材として機能することから、ハウジングフレーム２６と反射シート１６とが近づく程、導光板１２の側端面から漏れ出す光のうち、ハウジングフレーム２６に反射されて導光板１２に再入射する光の割合が増加し、両面テープ３４により吸収又は透過される光の割合が減少するので、輝度向上に寄与するものとなる。
特に、ハウジングフレーム２６を、白色樹脂で成形する等、反射効率を高めた態様とすることで、その効果を顕著に得ることが可能となる。しかも、両面テープ３４の厚みＴＢＳＴは維持されることから、両面テープ３４の厚みに起因する、ハウジングフレーム２６の変形による寸法変化を吸収するための緩衝材としての機能も、維持されるものである。
【００３３】
なお、ハウジングフレーム２６の外周に沿って、浅い凹部２６ａが形成され、凹部２６ａに両面テープ３４の一部が収容されている場合には、ハウジングフレーム２６と反射シート１６との間に、両面テープ３４が露出する部分が残る。しかしながら、図１に示される第１の実施の形態に係るフレキシブル面状照明装置３２との比較において、ハウジングフレーム２６の外周部と反射シート１６との距離を近づけることとなり、両面テープ３４が露出する範囲も狭まることから、それ相当の輝度向上効果が期待できるものとなる。
その他、本発明の第１の実施の形態と同様の作用効果については、詳しい説明を省略する。
【符号の説明】
【００３４】
１２：導光板、１４：光学シート、１４ｄ：拡散シート、１４ｐ：プリズムシート、１６：反射シート、１８：白色ＬＥＤ、２６：ハウジングフレーム、２６ａ：凹部、  ３２、３６：フレキシブル面状照明装置、３４：両面テープ
【図３】
0005733519.tif 000002
【図４】
0005733519.tif 000003
【図１】
0005733519.tif 000004
【図２】
0005733519.tif 000005
【図５】
0005733519.tif 000006